(57)【要約】【課題】通信ネットワークを介した商品売買であっても、セキュリティを確保しながら、簡単な手続きで商品を購入することができる。【解決手段】商品売買システム１００においては、商品選択時は、ＩＤリーダ１ａで商品のＩＤタグ情報を読み取り、ＩＤリーダ１ａのリーダ番号を使って買い物かごＤＢ２１へアクセスして購入商品リストを作成する。一方、商品購入決済は予め決済に必要な個人情報を所有するサイト経由でＩＤリーダ１ａのリーダ番号を使って購入商品リストへアクセスして読み出し、決済処理をする。これにより、街角にある情報から刺激を受けて複数の商品を購入しようとした場合、ＩＤリーダ１ａを買い物かごに見立てて商品情報を放り込むことによって、簡単に商品を購入できるとともに、決済処理時に初めてリーダ番号と決済用の個人情報を関連付けるので、セキュリティ上のリスクを低く抑えることができる。【選択図】図１
2006099484.tif 000002
【特許請求の範囲】
【請求項１】
商品に付されたＩＤタグの情報を読み取るＩＤリーダから送信されたＩＤタグの情報を商品購入リストとして管理するとともに、該商品購入リストに含まれる商品に対して利用者から決済情報を含む購入指示を受けて購入決済処理を行う商品売買システムに用いられる前記ＩＤリーダであって、
前記商品売買システムのアドレスを記憶する記憶手段と、
前記記憶手段に記憶されたアドレスに従って、前記商品売買システムと通信を行う通信手段と、
商品に付されたＩＤタグを一意に識別可能なＩＤタグ番号を読み取るＩＤタグ情報読み取り手段と、
読み取ったＩＤタグ番号を記憶するＩＤタグ情報記憶手段と、
所定の時期に前記通信手段を介して、前記ＩＤタグ情報記憶手段に記憶されたＩＤタグ番号を送信するタグ情報送信手段と、
を有することを特徴とするＩＤリーダ。
【請求項２】
前記記憶手段は、さらに、前記ＩＤリーダを一意に識別可能なリーダ番号を記憶し、
前記タグ情報送信手段は、さらに、前記記憶手段に記憶されたリーダ番号を送信し、
前記商品購入リストは、送信されたＩＤタグの情報をリーダ番号ごとに管理し、
前記購入決済処理は、前記リーダ番号と前記利用者を関連付けて購入決済処理を行うことを特徴とする請求項１記載のＩＤリーダ。
【請求項３】
前記ＩＤタグ情報記憶手段は、読み取ったＩＤタグ番号を読み取った日時と対応付けて記憶し、
前記ＩＤタグ情報送信手段は、前記ＩＤタグ情報記憶手段に記憶されたＩＤタグ番号と日時の組み合わせを送信することを特徴とする請求項１又は２記載のＩＤリーダ。
【請求項４】
前記所定の時期は、前記利用者の指示、又は前記ＩＤリーダが前記商品売買システムと通信可能と判断したときであることを特徴とする請求項１乃至３のいずれか１項に記載のＩＤリーダ。
【請求項５】
前記通信手段を介した通信により、前記商品購入リストの一覧を受信し、表示する表示手段と、
表示された商品情報一覧のそれぞれに対して、購入指示の旨、購入数、及び決済情報を入力する入力手段と、
を有し、前記入力手段で入力された情報は、前記通信手段を介した通信により、前記商品売買システムで購入決済されることを特徴とする請求項１乃至４のいずれか１項に記載のＩＤリーダ。
【請求項６】
前記通信手段は、所定の方法により暗号化して通信を行うことを特徴とする請求項１乃至５のいずれか１項に記載のＩＤリーダ。
【請求項７】
前記ＩＤタグ情報読み取り手段は、少なくとも視覚、触覚及び聴覚のうち１以上の方法により、読み取りが完了した旨を前記利用者に通知し、
前記タグ情報送信手段は、少なくとも視覚、触覚及び聴覚のうち１以上の方法により、送信が完了した旨を前記利用者に通知することを特徴とする請求項１乃至６のいずれか１項に記載のＩＤリーダ。
【請求項８】
前記タグ情報送信手段は、送信後、前記ＩＤタグ情報記憶手段に記憶されたＩＤタグ番号を削除することを特徴とする請求項１乃至７のいずれか１項に記載のＩＤリーダ。
【請求項９】
商品に付されたＩＤタグの情報を読み取るＩＤリーダから送信されたＩＤタグの情報を商品購入リストとして管理するとともに、該商品購入リストに含まれる商品に対して利用者から決済情報を含む購入指示を受けて購入決済処理を行う商品売買システムに用いられる前記ＩＤリーダのためのＩＤリーダ用プログラムであって、
前記商品売買システムのアドレスを記憶する記憶手段を備える前記ＩＤリーダに、
前記記憶手段に記憶されたアドレスに従って、前記商品売買システムと通信を行う通信ステップと、
商品に付されたＩＤタグを一意に識別可能なＩＤタグ番号を読み取るＩＤタグ情報読み取りステップと、
読み取ったＩＤタグ番号をＩＤタグ情報記憶手段に記憶するＩＤタグ情報記憶ステップと、
所定の時期に前記通信ステップを介して、前記ＩＤタグ情報記憶手段に記憶されたＩＤタグ番号を送信するタグ情報送信ステップと、
を前記ＩＤリーダに実行させることを特徴とするＩＤリーダ用プログラム。
【請求項１０】
商品に付されたＩＤタグの情報を読み取るＩＤリーダと、該ＩＤリーダと通信ネットワークを介して接続され、該ＩＤリーダから送信されたＩＤタグの情報を管理して、商品売買の仲介を行う商品売買仲介装置と、を備える商品売買システムであって、
前記ＩＤリーダは、
前記ＩＤリーダを一意に識別可能なリーダ番号、及び前記商品売買仲介装置のアドレスを記憶する記憶手段と、
前記記憶手段に記憶されたアドレスに従って、前記商品売買仲介装置と通信を行う通信手段と、
商品に付されたＩＤタグを一意に識別可能なＩＤタグ番号を読み取るＩＤタグ情報読み取り手段と、
読み取ったＩＤタグ番号と、ＩＤタグを読み取った日時とを対応付け、ＩＤタグ情報として記憶するＩＤタグ情報記憶手段と、
所定の時期に前記通信手段を介して、前記記憶手段に記憶されたリーダ番号、及び前記ＩＤタグ情報記憶手段に記憶されたＩＤタグ情報を前記商品仲介装置に送信する送信手段と、
を有し、
前記商品仲介装置は、
送信されたＩＤタグ情報を、商品情報を管理する商品管理装置から前記ＩＤタグ番号に基づいて取得した商品情報と関連付けて、送信されたリーダ番号ごとに商品購入リストとして記憶する商品購入リスト記憶手段と、
前記商品購入リストに含まれる商品に対して利用者から決済情報を含む購入指示を受け付けると、該購入指示を前記商品管理装置に送信する手段と、
を有し、前記商品管理装置は、該購入指示により前記リーダ番号と前記利用者を関連付けて購入決済処理を行うことを特徴とする商品売買システム。
【発明の詳細な説明】
【技術分野】
【０００１】
本発明は、通信ネットワークを介した商品売買システムに関し、特にＩＤタグが付された商品を対象とした商品売買システムに関する。
【背景技術】
【０００２】
インターネットの普及に伴い、インターネットを介して商品の売買を行うインターネットショッピングが普及してきた。今や学生、主婦を始め子供から老人まで家にいながらにして商品情報を取得し商品を購入することができる。
【０００３】
一般に、ユーザがインターネットを介して商品を購入する際には次のような手順を経る。まず、ユーザは、インターネット上に開設されたショッピングサイトへ、ネットワーク接続されたパソコンや携帯電話等の端末からアクセスする。ショッピングサイトには、商品の内容、外観写真、価格など商品に関する情報が掲載されている。ユーザは、そこで提示された１つあるいは複数の商品から購入する商品を選択する。次にユーザはサイト上で商品ごとに設けられた「購入」ボタンをクリックする等の操作により購入の意思表示をする。この意思表示と併せ、ユーザは名前、商品送付先住所、代金支払い方法の指定とそのために必要なクレジットカード番号等の情報をあらかじめ、あるいは商品購入意思表示時にショッピングサイト開設者に提示する。ショッピングサイト開設者は、ユーザの商品購入意思を確認し、該選択された商品を指定された送付先に送付する。また、ユーザが指定した代金支払い方法に基づいて代金受け取り処理を行う。以上説明した手順に従って、ショッピングサイト開設者はインターネット経由でアクセスしてきた顧客に対して商品を販売することができる。また、ユーザはインターネット接続されたパソコン等を使って、家にいながらにして商品の閲覧と購入を行うことができる。
【０００４】
このように、インターネットショッピングは、商品販売者、購入者の双方にとって商品売買の場所や扱う商品の制約を取り払い、いつでもどこでも商品売買を実現できるという利便性を提供する。
【０００５】
インターネットへ接続できる端末は、パソコン、ＰＤＡ、携帯電話など多様化している。またインターネットへの接続手段は、ホットスポット（登録商標）等の無線アクセスサービスの普及などに伴い、家庭内、オフィス内に限らず、街角や店舗内などどこでも任意の端末でインターネットへ接続できる環境が整ってきた。ユーザは任意の端末で任意の場所からショッピングサイトへアクセスして商品購入を行うことができるようになってきた。
【０００６】
更に、無線タグや印刷物に表示されたバーコード等を読み出して、その情報を元にショッピングサイトへ自動的にアクセスする手段も提供されるようになってきた。
【０００７】
ところで、インターネットを介したインターネットショッピングでは、ユーザはショッピングサイトへアクセスした上で商品選択、購入意思表示等を実施する必要がある。一般に、ユーザの購買意欲は、街を歩いていて広告が目に留まったとき、電車内で広告を見たとき、ウインドウショッピングをしているとき、テレビを見ているとき、知人と話をしているときなど、外部から何らかの視聴覚刺激があったときに高まる。そしてその高まりは接続するときもあれば、瞬時に消えることもある。購買意欲が瞬時に高まった時に購買行動をおこすのが所謂衝動買いと言われる行動である。インターネットショッピングで購買に繋がるケースは、ユーザがある商品に対する購買意欲を持続的に持っており、購入したいという意思を予め持ってサイトへアクセスした場合か、ショッピングサイトで提示されている商品を見ていて購買意欲がわいてきた場合に限られていた。
【０００８】
しかし、最近のインターネットアクセス環境によれば、ユーザが街角のポスターや店先のショーケースなど外部からの刺激により購買意欲が瞬間的に高まった場合においても、携帯電話を始めとするネットワーク端末を介していつでもどこでもショッピングサイトにアクセスできるので、所望の商品を購入できるようになってきた。
【０００９】
尚、この出願に関連する先行技術文献情報としては、次のものがある。
【特許文献１】特開２００２−３０４５３７号公報
【発明の開示】
【発明が解決しようとする課題】
【００１０】
しかしながら、従来のインターネット上のショッピングサイトにアクセスし、商品を購入する場合には、以下のような問題がある。
【００１１】
（１）ショッピングサイトへのアクセスがいつでもどこでもできるようになると、盗聴や改ざんなどセキュリティ上のリスクが増大するという問題がある。例えば、街角で無線アクセスによりショッピングサイトへアクセスし、商品購入処理をする場合、ユーザは購入商品の情報、クレジットカード番号、住所、氏名などインターネットサイトとの間で授受される情報を盗聴され、悪用される危険度が高まるという問題がある。
【００１２】
（２）また、ショッピングサイトへのアクセスや決済のために携帯電話やＰＤＡ、ラップトップパソコンなど持ち運び可能な携帯端末を利用するケースが増えている。このような状況では、これら携帯端末が盗難、紛失した場合に個人情報漏洩や悪用の危険度が高まるという問題がある。
【００１３】
（３）実存する店や、ショッピングウインドウ、広告、雑誌などを介して視聴覚により購入意欲が湧いても、その商品をインターネットショッピングで購入するためには、その商品を扱っているインターネットショッピングサイトを検索し、購入手続を取らなくてはならず、ユーザにとって手間がかかるという問題がある
（４）また、街角にある情報（ポスター、看板、ショッピングウインドウ）から刺激を受けて複数の商品を購入しようとした場合、一箇所のインターネットショッピングサイトで全ての商品を購入できるとは限らない。その際には、商品を扱っているサイトに個別にアクセスして商品検索、商品確認、意思表示、支払い処理等を行う必要があり、ユーザの手続が煩雑になるという問題がある。
【００１４】
本発明は、上記の事情を鑑みてなされたものであり、通信ネットワークを介した商品購入であっても、セキュリティを確保しながら、簡単な手続きで商品を購入することができるＩＤリーダ、ＩＤリーダ用プログラム、及び商品売買システムを提供することを目的とする。
【課題を解決するための手段】
【００１５】
上記目的を達成するため、請求項１記載の本発明は、商品に付されたＩＤタグの情報を読み取るＩＤリーダから送信されたＩＤタグの情報を商品購入リストとして管理するとともに、該商品購入リストに含まれる商品に対して利用者から決済情報を含む購入指示を受けて購入決済処理を行う商品売買システムに用いられる前記ＩＤリーダであって、前記商品売買システムのアドレスを記憶する記憶手段と、前記記憶手段に記憶されたアドレスに従って、前記商品売買システムと通信を行う通信手段と、商品に付されたＩＤタグを一意に識別可能なＩＤタグ番号を読み取るＩＤタグ情報読み取り手段と、読み取ったＩＤタグ番号を記憶するＩＤタグ情報記憶手段と、所定の時期に前記通信手段を介して、前記ＩＤタグ情報記憶手段に記憶されたＩＤタグ番号を送信するタグ情報送信手段と、を有することを特徴とする。
【００１６】
請求項２記載の本発明は、請求項１記載の発明において、前記記憶手段は、さらに、前記ＩＤリーダを一意に識別可能なリーダ番号を記憶し、前記タグ情報送信手段は、さらに、前記記憶手段に記憶されたリーダ番号を送信し、前記商品購入リストは、送信されたＩＤタグの情報をリーダ番号ごとに管理し、前記購入決済処理は、前記リーダ番号と前記利用者を関連付けて購入決済処理を行うことを特徴とする。
【００１７】
請求項３記載の本発明は、請求項１又は２記載の発明において、前記ＩＤタグ情報記憶手段は、読み取ったＩＤタグ番号を読み取った日時と対応付けて記憶し、前記ＩＤタグ情報送信手段は、前記ＩＤタグ情報記憶手段に記憶されたＩＤタグ番号と日時の組み合わせを送信することを特徴とする。
【００１８】
請求項４記載の本発明は、請求項１乃至３のいずれか１項に記載の発明において、前記所定の時期は、前記利用者の指示、又は前記ＩＤリーダが前記商品売買システムと通信可能と判断したときであることを特徴とする。
【００１９】
請求項５記載の本発明は、請求項１乃至４のいずれか１項に記載の発明において、前記通信手段を介した通信により、前記商品購入リストの一覧を受信し、表示する表示手段と、表示された商品情報一覧のそれぞれに対して、購入指示の旨、購入数、及び決済情報を入力する入力手段と、を有し、前記入力手段で入力された情報は、前記通信手段を介した通信により、前記商品売買システムで購入決済されることを特徴とする。
【００２０】
請求項６記載の本発明は、請求項１乃至５のいずれか１項に記載の発明において、前記通信手段は、所定の方法により暗号化して通信を行うことを特徴とする。
【００２１】
請求項７記載の本発明は、請求項１乃至６のいずれか１項に記載の発明において、前記ＩＤタグ情報読み取り手段は、少なくとも視覚、触覚及び聴覚のうち１以上の方法により、読み取りが完了した旨を前記利用者に通知し、前記タグ情報送信手段は、少なくとも視覚、触覚及び聴覚のうち１以上の方法により、送信が完了した旨を前記利用者に通知することを特徴とする。
【００２２】
請求項８記載の本発明は、請求項１乃至７のいずれか１項に記載の発明において、前記タグ情報送信手段は、送信後、前記ＩＤタグ情報記憶手段に記憶されたＩＤタグ番号を削除することを特徴とする。
【００２３】
請求項９記載の本発明は、商品に付されたＩＤタグの情報を読み取るＩＤリーダから送信されたＩＤタグの情報を商品購入リストとして管理するとともに、該商品購入リストに含まれる商品に対して利用者から決済情報を含む購入指示を受けて購入決済処理を行う商品売買システムに用いられる前記ＩＤリーダのためのＩＤリーダ用プログラムであって、前記商品売買システムのアドレスを記憶する記憶手段を備える前記ＩＤリーダに、
前記記憶手段に記憶されたアドレスに従って、前記商品売買システムと通信を行う通信ステップと、商品に付されたＩＤタグを一意に識別可能なＩＤタグ番号を読み取るＩＤタグ情報読み取りステップと、読み取ったＩＤタグ番号をＩＤタグ情報記憶手段に記憶するＩＤタグ情報記憶ステップと、所定の時期に前記通信ステップを介して、前記ＩＤタグ情報記憶手段に記憶されたＩＤタグ番号を送信するタグ情報送信ステップと、を前記ＩＤリーダに実行させることを特徴とする。
【００２４】
請求項１０記載の本発明は、商品に付されたＩＤタグの情報を読み取るＩＤリーダと、該ＩＤリーダと通信ネットワークを介して接続され、該ＩＤリーダから送信されたＩＤタグの情報を管理して、商品売買の仲介を行う商品売買仲介装置と、を備える商品売買システムであって、前記ＩＤリーダは、前記ＩＤリーダを一意に識別可能なリーダ番号、及び前記商品売買仲介装置のアドレスを記憶する記憶手段と、前記記憶手段に記憶されたアドレスに従って、前記商品売買仲介装置と通信を行う通信手段と、商品に付されたＩＤタグを一意に識別可能なＩＤタグ番号を読み取るＩＤタグ情報読み取り手段と、読み取ったＩＤタグ番号と、ＩＤタグを読み取った日時とを対応付け、ＩＤタグ情報として記憶するＩＤタグ情報記憶手段と、所定の時期に前記通信手段を介して、前記記憶手段に記憶されたリーダ番号、及び前記ＩＤタグ情報記憶手段に記憶されたＩＤタグ情報を前記商品仲介装置に送信する送信手段と、を有し、前記商品仲介装置は、送信されたＩＤタグ情報を、商品情報を管理する商品管理装置から前記ＩＤタグ番号に基づいて取得した商品情報と関連付けて、送信されたリーダ番号ごとに商品購入リストとして記憶する商品購入リスト記憶手段と、前記商品購入リストに含まれる商品に対して利用者から決済情報を含む購入指示を受け付けると、該購入指示を前記商品管理装置に送信する手段と、を有し、前記商品管理装置は、該購入指示により前記リーダ番号と前記利用者を関連付けて購入決済処理を行うことを特徴とする。
【発明の効果】
【００２５】
本発明によれば、通信ネットワークを介した商品購入であっても、セキュリティを確保しながら、簡単な手続きで商品を購入することができるＩＤリーダ、ＩＤリーダ用プログラム、及び商品売買システムを提供することができる。
【００２６】
つまり、本発明においては、商品選択時は、ＩＤリーダで商品のＩＤタグ情報を読み取り、ＩＤリーダのリーダ番号を使って商品売買システムへアクセスして商品購入リストを作成する。一方、商品購入決済は、予め決済に必要な個人情報（氏名、住所、クレジットカード番号等）を所有するサイト経由から、又は店頭で決済の意思表示をすることにより、ＩＤリーダのリーダ番号を使って購入商品リストへアクセスして読み出し、決済処理をする。これにより、街角にある情報から刺激を受けて複数の商品を購入しようとした場合、ＩＤリーダを買い物かごに見立ててＩＤタグ情報を放り込むことによって、簡単に商品を購入できるとともに、商品選択時には個人情報は関連付けられていないので、盗聴や改ざん、個人情報漏洩などセキュリティ上のリスクを抑えることができる。また、ＩＤリーダを友人、親子等に渡すことにより、商品購入リストを共用することができるという効果がある。さらに、利用者は、街角にある情報（例えば、ショッピングウィンドウ、ポスターなど）から商品のＩＤタグ情報を読み取ることが可能であるので、商品販売業者にとっては、営業時間を問わず商品を販売することができるという効果がある。
【発明を実施するための最良の形態】
【００２７】
以下、本発明の実施の形態を図面を用いて説明する。
【００２８】
＜１．システム構成＞
図１は、本発明の実施の形態に係る商品売買システム１００の概略構成図である。図１に示す商品売買システム１００は、利用者が携行し、商品に付されたＩＤタグ５を読み取るＩＤリーダ１ｉ（ｉ＝ａ，ｂ）、ＩＤリーダ１ｉに読み取られたＩＤタグ情報を管理する買い物かご管理サーバ２、ＩＤタグ５が付された商品の商品情報を管理する商品管理サーバ３、並びに、ＩＤリーダ１ｉ、買い物かご管理サーバ２及び商品管理サーバ３を相互に接続する、例えば、インターネット網などの通信ネットワーク４を備えている。尚、本実施の形態においては、利用者（商品購入者）が所有するＩＤリーダを１ａ、商品販売業者が所有するＩＤリーダを１ｂとして説明する。
【００２９】
（１−１．ＩＤタグ）
ＩＤタグ５は、固有のＩＤ番号を有する電子回路であり、例えば、商品の値札のように商品名、価格、型番などが書かれたタグと一体化されている。このＩＤタグ５は、店頭又はデパートのウインドウ等に飾られた商品の近くに置かれ、利用者が、商品を直接見ながら値札で価格を確認し、ＩＤリーダ１ａによりＩＤタグ情報（ＩＤタグ固有のＩＤタグ番号など）を読み込むことより、商品を買い物かごに入れたのと同等の操作ができるようになっている。ＩＤリーダ１ａでＩＤタグ５の情報を読み込む方式としては、無線通信方式、光通信方式のいずれを用いてもよい。また、近年実用化が図られているＲＦＩＤ（Radio Frequency ID）でもよい。
【００３０】
（１−２．ＩＤリーダ）
ＩＤリーダ１ａは、利用者が常に携帯しているもので（スーパで買い物かごを持つような感覚）、詳しくは、タグ情報読取部１１、記憶部１２、通信制御部１３、情報入力部１４、情報表示部１５、及び時計１６を備える構成である。尚、後述するように、情報入力部１４及び情報表示部１５は必ずしも備える必要はなく、ＩＤリーダ１ａと接続されたコンピュータの入力手段及び表示手段を用いて、該機能を実現してもよい。
【００３１】
タグ情報読取部１１は、利用者からの読み取り指示により（例えば、読取ボタンのようなものを備え、該読取ボタンの押下を契機としてもよいし、電源立ち上げを契機としてもよい）、商品に付されたＩＤタグ５からＩＤタグ情報（ＩＤタグ固有のＩＤタグ番号など）を読み取るとともに、読み出した日時も時計１６から情報を得て、記憶部１１に記録するようになっている。
【００３２】
記憶部１２は、ＩＤリーダを一意に識別可能なリーダ番号１７、買い物かご管理サーバ２の接続先ＵＲＬ（Uniform Resource Locator）１８、及びタグ情報読取部１２により記録された、少なくとも、ＩＤタグ番号と日時を備えるＩＤタグ情報１９を記憶している。尚、ＩＤタグ情報１９に関しては、買い物かご管理サーバ２に送信済か否かを示すフラグも備え、一度、買い物かご管理サーバ２に送信されたＩＤタグ情報１９は再度送信されないようになっている。また、ＩＤタグ情報１９は、買い物かご管理サーバ２に送信後、記憶部１２から削除されるようにしてもよい。
【００３３】
通信制御部１３は、通信ネットワーク４を介して買い物かご管理サーバ２にアクセス可能となっており、記憶部１２に記録されたＩＤタグ情報１９を買い物かご管理サーバ２に送信するようになっている。ここで、買い物かご管理サーバ２にアクセスする際には、記憶部１１に記憶された接続先ＵＲＬ１８が参照されるが、重要なのは、ＩＤリーダ１ａは常時通信ネットワーク４に接続されている必要はなく、買い物かご管理サーバ２とのやりとりが発生するときにだけ、自動的又は利用者の指示（例えば、送信ボタンを押下すること等による）により通信ネットワーク４に接続されればよいということである。
【００３４】
尚、上述した通信制御部１３の通信ネットワーク４を介した外部との通信機能は、ＩＤリーダ１ａ自体が無線ＬＡＮ（Local Area Network）端末としての機能を持ち、無線基地局などを介してネットワーク４に接続されるような形態が考えられるが、本発明はこれに限定されず、ＩＤリーダ１ａがＵＳＢ（Universal Serial Bus）端子などコンピュータ（パソコン、ＰＤＡ（Personal Digital Assistance）、携帯電話等）との接続手段を持つ場合には、ネットワーク接続された該コンピュータにＩＤリーダ１ａを接続することで、自動的に又は利用者の指示により、ＩＤリーダ１ａと買い物かご管理サーバ２との通信を確立するような形態としてもよい。
【００３５】
また、上述した通信制御部１３による通信は、セキュリティ確保のため、データを暗号化して買い物かご管理サーバ２に送信するようにしてもよい。暗号方式としては、何であってもよく、例えば、共通鍵暗号方式でもあってもよいし、公開鍵暗号方式であってもよい。
【００３６】
情報入力部１４は、商品購入希望数など商品売買に必要な情報を入力するためのテンキーやボタンであり、情報表示部１５は、買い物かご管理サーバ２から送信された情報を表示するためディスプレイである。尚、上述したように、情報入力部１４及び情報表示部１５は、接続されたコンピュータの情報入力機能及び情報表示機能を活用してもよい。
【００３７】
尚、図１には図示しなかったが、ＩＤリーダ１ａは、ＩＤタグ読出し成功時にユーザにその旨を伝えるための音声発生手段や発光手段などの通知手段を備えてもよい。例えば、具体的には、ID情報が正常に読み込まれたら、LED が点灯して利用者に通知してもよいし、ビープ音により通知してもよいし、振動により通知してもよい。 
また、記憶部１２にまだ送信していないＩＤタグ情報１９が所定の数以上蓄積しているときは、この通知手段により、利用者に未送信ＩＤタグ情報がある旨を通知するようにしてもよい。さらには、ＩＤタグ情報１９が買い物かご管理サーバ２に正常に送信されたときは、この通知手段により、送信処理の正常終了を通知するようにしてもよい。
【００３８】
（１−３．買い物かご管理サーバ）
買い物かご管理サーバ２は、利用者がＩＤリーダ１ａを用いて読み取ったＩＤタグ情報を利用者ごとに管理するサーバであり、詳しくは、買い物かごデータベース（以下、買い物かごＤＢという）２１、及び買い物かごＤＢ２１の制御や通信制御、及びデータの転送、種々の演算、データの一時的な格納等を行うことにより、後述する機能を担う制御部２２を備えている。
【００３９】
買い物かごＤＢ２１は、リーダ番号１７ごとに管理しており、具体的には、図２に示すような買い物かごデータで構成されている。尚、買い物かごＤＢ２１においては、ＩＤリーダ１ａのリーダ番号１７に対応した買い物かごデータのみにアクセスできるようになっている。
【００４０】
制御部２２は、商品リスト作成機能ｆ２２１、商品リスト表示機能ｆ２２２、注文情報入力機能ｆ２２３、及び決済機能ｆ２２４を機能させるようになっている。
【００４１】
商品リスト作成機能ｆ２２１は、ＩＤリーダ１ａからネットワーク４を介して送信されたリーダ番号１７、及びＩＤタグ情報１９を受信すると、リーダ番号１７と関連付けて商品リストを作成する機能である。即ち、ＩＤタグ番号が入力されると、商品管理サーバ３にアクセスし、該ＩＤタグ番号に対応する商品情報（例えば、商品名、型番、販売業者、単価、販売単位、在庫数、詳細情報掲載ＵＲＬ情報など）を取得し、取得した商品情報を元に買い物かごデータを作成し、買い物かごＤＢ２１に商品リストとして蓄積するようになっている。
【００４２】
商品リスト表示機能ｆ２２２は、利用者の要望に応じて買い物かごＤＢ２１の自己の買い物かご（ＩＤリーダ番号１７）に含まれている商品リストを表示する機能である。例えば、具体的には、ＩＤリーダ１ａが携帯電話を兼ねているのであれば、利用者は携帯電話のインターネット接続機能を利用し、買い物かご管理サーバ２のＷｅｂページにアクセスすると、自動的にＩＤリーダ１ａのリーダ番号１７に対応した商品リストを表示するようになっている。尚、ＩＤリーダ１ａがＵＳＢインターフェースを持っている構成であれば、ネットワーク接続された任意のパソコンのＵＳＢ端子にＩＤリーダ１ａを差し込むと、ＩＤリーダ１ａはパソコンとの接続を検知し、該検知を契機に記憶部１２に記憶されたＵＲＬ情報をもとに、ネットワーク接続されたパソコンを買い物かご管理サーバ２のＷｅｂページへアクセスするように制御させるので、これにより、ＩＤリーダ１ａと買い物かごサーバ２間で自動的に認証プロセスが実行され、その後対応する商品リストがパソコンに表示されるといった仕組みにしてもよい。
【００４３】
注文情報入力機能ｆ２２３は、上述した商品リスト表示機能ｆ２２２に加えて、商品注文に必要な情報を利用者に入力させ、入力された情報（例えば、注文個数とか数量、あるいは洋服であればサイズといった情報など）に基づいて買い物かごＤＢ２１を更新する機能である。詳しくは、商品注文に必要な情報が揃うと、該情報を商品管理サーバ３へ送信するようになっている。これにより、商品管理サーバ３は注文に必要な情報がそろったことを確認した上で仮発注番号を発行し、仮発注番号の有効期限の情報等と一緒に買い物かご管理サーバ２に送信するので、送信された仮発注番号を買い物かごデータに反映して、買い物かごＤＢ２１を更新するとともに、仮発注番号を商品リストに加えて、利用者に表示するようになっている。
【００４４】
決済機能ｆ２２４は、自己の買い物かごに含まれる商品リストのうち、仮発注番号が付与された商品について、利用者に購入意思表示を行わせる機能である。例えば、具体的には、商品リストの一覧表示の中には、商品単位に購入ボタンが表示されており、これをクリックすると購入意思表示をしたとみなすといった具合である。購入意思表示がなされると、買い物かご管理サーバ２を介して、決済情報が商品データベースへ送信され、商品データベースで決済処理が行われることになる。ここで、決済情報とは、決済方法（カード、現金振込み、口座引き落とし等）、商品送付先などをいい、利用者から入力してもらい、対象となる商品仮発注番号とともに商品管理サーバ３に送信されるようになっている。尚、商品管理サーバ３においては、決済処理に必要な情報がそろっていることが確認できたら本発注番号を発行し、買い物かご管理サーバ２に送信するようになっているので、買い物かご管理サーバ２は、送信された本発注番号が届くと、商品リストからその商品情報を削除し、本発注番号を合わせて別のメモリ領域に取引ログとして記録するとともに、利用者に対して商品リスト上で発注済みであることを表示するようになっている。尚、上記の取引ログは、利用者の売買情報が記録されるので、この取引ログを利用して、買い物をすることも可能である。例えば、この取引ログそのものを利用者に表示するようにしてもよいし、何らかのカテゴリに分類し、このカテゴリごとにまとめて表示するようにしてもよく、これにより、利用者の商品購入を手助けすることができる。
【００４５】
以上から、買い物かごＤＢ２１は、ＩＤリーダ１ａのリーダ番号１７に基づいて商品リストの管理がなされ、ＩＤリーダ１ａを所有する利用者の個人情報などは一切記録されないという特徴を有する。また、買い物かごＤＢ２１を介して取引された売買の情報（どの販売店が何の商品をいつ、どのくらい販売し、どのくらい売上が上がったかといった情報）をログとして保存することができるので、この保存された販売情報に基づき、売買額の一定割合を計算し、その額を販売補助手数料として、商品を販売した販売店に請求するようにしてもよい。つまり、買い物かご管理サーバ２を運営する会社が、買い物かごＤＢ２１を介して売買された金額の一定割合を仲介料として、商品販売側から受け取るというビジネスモデルを考えることができる。
【００４６】
（１−４．商品管理サーバ）
商品管理サーバ３は、ＩＤタグが付された商品の商品情報を管理するサーバであり、詳しくは、商品データベース（以下、商品ＤＢという）３１、及び商品ＤＢ３１の制御や通信制御、及びデータの転送、種々の演算、データの一時的な格納等を行うことにより、後述する機能を担う制御部３２を備えている。
【００４７】
商品ＤＢ３１は、ＩＤタグ番号と、商品名、型番、販売元、単価、注文単位、在庫、納入期限などの商品情報を関連付けて記憶するようになっている。
【００４８】
制御部３２は、商品登録機能ｆ３２１、商品情報送信機能ｆ３２２、仮発注機能ｆ３２３、及び決済機能ｆ３２４を機能させるようになっている。
【００４９】
商品登録機能ｆ３２１は、ＩＤタグ番号と商品情報を関連づけて商品ＤＢ３１に登録する機能であり、商品販売業者が、携帯するＩＤリーダ１ｂにより商品に付されたＩＤタグ５を読み取った後、商品情報を入力することにより、商品ＤＢ３１に登録するようになっている。ここで、ＩＤリーダ１ｂは、ＩＤリーダ１ａと同一の機能を有する装置であるが、商品情報登録用のＩＤリーダである点がＩＤリーダ１ａとは異なっている。即ち、ＩＤリーダ１ｂは、商品管理サーバ３にアクセス可能なＩＤを備えるとともに、記憶部１１に記憶された接続先ＵＲＬ１８が商品管理サーバのＵＲＬとなっているので、通信ネットワーク４を介して商品管理サーバ３にアクセスできるようになっている。
【００５０】
例えば、店舗のショーウインドウに商品（例えばスーツといった衣服）を陳列し、これにＩＤタグ５が埋め込まれた値札を付着させた場合を考える。店員は、ＩＤリーダ１ｂで値札のＩＤタグ５のＩＤ番号を読み、続いて商品管理サーバ３へＩＤリーダ１ｂのリーダ番号１７を使ってアクセスする。商品ＤＢ３１には、ＩＤタグ番号とそれに続く商品情報が入力される欄がある商品リストが作られており、店員は、ＩＤタグ番号に対応した商品情報の欄に情報を入力していく。尚、これら商品情報の入力には、商品についているバーコードを読むことで商品情報をデータベースから読み出してくるようなＰＯＳシステムと連携させて、ＩＤタグ５の読込みに続けて、バーコードリーダで商品情報を読み込み、自動的に商品ＤＢ３１に商品情報が入力されるようにしてもよい。
【００５１】
また、ＩＤリーダ１ａ及び１ｂのリーダ番号１７、並びにＩＤタグ５のＩＤタグ番号の番号体系を役割に応じて識別できるようにしてもよい。例えば、具体的には、リーダ番号１７及びＩＤタグ番号を１２８ビットの２進値とした場合、ＩＤリーダ１ａのリーダ番号１７の最初のビット列が００１、ＩＤリーダ１ｂのリーダ番号１７は０００といった具合である。このようにしておくと、ＩＤリーダ１ａ及び１ｂあるいは各サーバでＩＤタグ番号を読み込んだ時点で、そのＩＤ番号がどういった属性のものかを瞬時に判断でき、次の処理に円滑に移行できるというメリットがある。
【００５２】
商品情報送信機能ｆ３２２は、買い物かごサーバ２の商品リスト作成機能ｆ２２１と連携しているもので、商品リスト作成の際に買い物かごサーバ２から問い合わせのあったＩＤタグ番号に対応する商品情報（例えば、商品名、型番、販売業者、単価、販売単位、在庫数、詳細情報掲載ＵＲＬ情報など）を商品管理ＤＢ３１から取得し、買い物かご管理サーバ２に送信する機能である。
【００５３】
仮発注機能ｆ３２３は、買い物かごサーバ２の注文情報入力機能ｆ２２３と連携しているもので、買い物かご管理サーバ２から注文情報の送信があったときは、仮発注番号発行して、買い物かご管理サーバ２に送信する機能である。
【００５４】
決済機能ｆ３２４は、買い物かごサーバ２の決済機能ｆ２２４と連携しているもので、買い物かご管理サーバ２から購入意思表示、決済情報が送信されると、仮発注番号を本発注番号に変更し、本発注番号を買い物かご管理サーバ２に送信するとともに、決済処理及び商品発送処理を行う機能である。
【００５５】
ここで、決済機能ｆ３２４の一例として、店舗で決済する場合と、Ｗｅｂサイトで決済する場合の２つについて具体的に説明する。
【００５６】
まず、コンビニや実際の店舗で決済する場合について説明する。利用者は購入したい商品のＩＤタグ５を読み込んだＩＤリーダ１ａを持ってコンビニへ行く。ＩＤリーダ１ａを店員に渡して商品を購入したい旨を店員に伝える。店員は、利用者から受け取ったＩＤリーダ１ａのリーダ番号１７を使って買い物かご管理サーバ２へアクセスし、利用者の買い物かごに入っている商品の情報を読み出す。読み出した情報をプリントアウト又はディスプレイに表示するなどして購入物の内容を確認してもらい、購入するか否かを確認する。ＯＫであれば、店員が購入する旨を買い物かご管理サーバ２へ知らせる。買い物かご管理サーバ２は、購入意思決定情報を、商品管理サーバ３（商品販売者）に通知する。また、店員は利用者から商品発送先や決済に必要な情報をもらい、買い物かご管理サーバ２へ情報提供する。商品管理サーバ３との商品発送先や決済に必要な情報のやり取りが終了すると、商品管理サーバ３を管理する事業者は受け取った情報に基づいて、商品発送、決済処理を進める。
【００５７】
次に、利用者が既にインターネットサービスプロバイダや、インターネットショッピングサイトなどの会員になっていて、自分のクレジットカード番号や名前など決済に必要な情報を既に登録している場合には、それらのサイトを経由して商品の決済をすることができる。その場合、まず、利用者は決済に必要な情報を登録しているサイトへＩＤ、パスワードなどによる認証プロセスを経てアクセスする。そして、当該サイトへ買い物かごサーバ２へアクセスするためのリーダ番号１７を入力し、送信する。尚、リーダ番号１７の入力方法としては、利用者による手入力であってもよいし、あるいはＩＤリーダ１ａのネットワーク接続機能を利用して自動的に読み込ませるなどのいずれであってもよい。次に当該サイトはリーダ番号１７を使って買い物かごＤＢ２１にアクセスし、当該利用者の商品リストを読出し、利用者に表示する。利用者は商品リストの中身を確認し、購入するか否かの意思表示をする操作を行う。具体的には、通常のインターネットショッピングのように商品リストとその横に購入ボタンがあり、購入ボタンを押すことによって利用者は商品購入意思を表明する。購入意思が表明されると、商品管理サーバ３へアクセスし、決済処理を行う。商品管理サーバ３は処理結果に基づいて商品発送と集金などの処理を行い、商品売買を完結させる。
【００５８】
＜２．システム動作＞
次に、本実施の形態に係る商品売買システム１００の動作を図３乃至６を用いて説明する。ここで、図３は、ＩＤリーダ１ａがＩＤタグを読み取ってから、買い物かご管理サーバ２が商品リストを作成するまでの動作を説明するシーケンス図であり、図４は、買い物かご管理サーバ２が、ＩＤリーダ１ａに商品リストを表示し、注文情報を受け付ける動作を説明するシーケンス図であり、図５は、ＩＤリーダ１ａからの購入指示を受けてから、買い物かご管理サーバ２及び商品管理サーバ３において決済をするまでの動作を説明するシーケンス図である。また、図６は、ＩＤリーダ１ｂから商品情報を商品管理サーバ３に登録する動作を説明するシーケンス図である。
【００５９】
まず、図３を参照して、ＩＤリーダ１ａがＩＤタグを読み取ってから、買い物かご管理サーバ２が商品リストを作成するまでの動作を説明する。
【００６０】
ＩＤリーダ１ａを携帯する利用者は、自分が購入しようと思う商品のＩＤタグ５をＩＤタグリーダ１ａに読み込ませる（ステップＳ１０）。ＩＤリーダ１ａに読み込まれたＩＤタグ５のＩＤタグ番号５１は、読み込まれた日時とともに、記憶部１１に記録される（ステップＳ２０）。尚、上記の動作は繰り返される。
【００６１】
次に、利用者が読み込んだＩＤタグ情報の送信を、例えば、送信ボタンの押下によりＩＤリーダ１ａに指示すると、ＩＤリーダ１ａは、記憶部１１に記憶されたＩＤタグ情報１９をリーダ番号１７とともに、通信ネットワーク４を介して買い物かご管理サーバ２に送信する（ステップＳ３０，Ｓ４０）。尚、ステップＳ３０の契機としては、上述した利用者の指示の他、通信ネットワーク４に接続されたときを検知して自動的に送信するようにしてもよい。
【００６２】
買い物かご管理サーバ２は、リーダ番号１７に従って、買い物かごＤＢ２１から利用者の買い物かごにアクセスするとともに、ＩＤタグ番号に対応する商品情報を商品管理サーバ３の商品ＤＢ３１から取得して、商品リストを作成し、作成された商品リストを買い物かごＤＢ２１に格納する（ステップＳ５０，Ｓ６０，Ｓ７０，Ｓ８０）。
【００６３】
次に、図４を参照して、ＩＤリーダ１ａに商品リストを表示し、注文情報を受け付けるまでの動作を説明する。
【００６４】
利用者がＩＤリーダ１ａを介して買い物かご管理サーバ２に商品リスト表示の指示をすると、買い物かご管理サーバ２は、リーダ番号に従って、買い物かごＤＢ２１から利用者の買い物かごにアクセスし、利用者の商品リストをＩＤリーダ１ａに送信する（ステップＳ１００，Ｓ１１０，Ｓ１２０，Ｓ１３０）。
【００６５】
利用者は、ＩＤリーダ１ａに表示された商品リストを閲覧し、さらに、注文情報を入力する必要があるときは、注文情報を入力して、買い物かご管理サーバ２に送信する（ステップＳ１４０，Ｓ１５０，Ｓ１６０）。
【００６６】
買い物かご管理サーバ２は、注文情報を受け付けると、該注文情報を買い物かごＤＢ２１の利用者の買い物かごデータの注文数を更新し、この注文情報を受け付けた商品の仮発注処理を商品管理サーバ３に依頼する（ステップＳ１７０，Ｓ１８０，Ｓ１９０）。
【００６７】
仮発注依頼を受けた商品管理サーバ３は、仮発注処理を行い、仮発注番号を買い物かご管理サーバに送信する（ステップＳ２００，Ｓ２１０）。
【００６８】
仮発注番号を受信した買い物かご管理サーバ２は、該注文情報を買い物かごＤＢ２１の利用者の買い物かごデータの仮発注番号を更新し、仮発注番号が付加された商品リストをＩＤリーダ１ａに送信する（ステップＳ２２０，Ｓ２３０，Ｓ２４０）。
【００６９】
利用者は、ＩＤリーダ１ａに表示された商品リストを閲覧し、表示された内容で購入（決済）するか否かを判断する（ステップＳ２５０，Ｓ２６０）。
【００７０】
尚、上述したステップＳ１００乃至Ｓ２６０の動作は、利用者がＩＤリーダ１ａを介して商品リスト表示の指示をする場合を説明したが、利用者がＩＤリーダ１ａを用いずに、所定のコンピュータのブラウザ機能を介して買い物かご管理サーバ２にアクセスし、商品リスト表示の指示をして、商品リストの表示及び注文情報入力を行うようにしてもよい。
【００７１】
次に、図５を参照して、ＩＤリーダ１ａからの購入指示を受けてから、買い物かご管理サーバ２及び商品管理サーバ３において決済をするまでの動作を説明する。
【００７２】
ステップＳ２６０で購入すると判断したときは、利用者は、ＩＤリーダ１ａから買い物かご管理サーバ２に購入指示及び決済情報を送信する（ステップＳ３００，Ｓ３１０）。
【００７３】
購入指示及び決済情報を受信した買い物かご管理サーバ２は、この情報を商品管理サーバ３に送信し、商品管理サーバ３は、これを受けて、決済処理を行い、本発注番号を買い物かご管理サーバ２に送信する（ステップＳ３２０，Ｓ３３０，Ｓ３４０，Ｓ３５０）。
【００７４】
買い物かご管理サーバ２は、本発注番号を受信すると、決済処理終了と判断し、利用者の商品リストからこの商品を削除して、買い物かごＤＢ２１を更新し、本発注番号が付加された商品リストをＩＤリーダ１ａに送信する（ステップＳ３６０，Ｓ３７０，Ｓ３８０）。
【００７５】
利用者は、ＩＤリーダ１ａに表示された商品リストを閲覧し、決済処理が終了したことを確認する（ステップＳ３９０）。
【００７６】
尚、上述したステップＳ３００乃至Ｓ３９０の動作は、利用者がＩＤリーダ１ａを介して購入指示をする場合を説明したが、利用者がＩＤリーダ１ａを用いずに、所定のコンピュータのブラウザ機能を介して買い物かご管理サーバ２にアクセスし、購入指示をして、決済処理を行うようにしてもよい。
【００７７】
次に、図６を参照して、ＩＤリーダ１ｂから商品情報を商品管理サーバ３に登録する動作を説明する。
【００７８】
商品販売業者は、店頭に陳列された商品に付されたＩＤタグ５をＩＤリーダ１ｂで読み込み、次に、商品情報を入力して、該ＩＤタグ５のＩＤタグ情報（ＩＤタグ番号など）と商品情報を関連付けて、商品管理サーバに送信する（ステップＳ４００，Ｓ４１０）。尚、在庫に関する情報も合わせて送信してもよい。
【００７９】
商品管理サーバ３は、ＩＤタグ情報及び商品情報を受け取ると、商品ＤＢ３１に登録する（ステップＳ４３０，Ｓ４４０）。
【００８０】
従って、本実施の形態に係る商品売買システム１００によれば、商品選択時は、ＩＤリーダ１ａで商品のＩＤタグ情報を読み取り、ＩＤリーダ１ａのリーダ番号を使って買い物かごＤＢ２１へアクセスして商品リストを作成する。一方、商品購入決済は、予め決済に必要な個人情報（氏名、住所、クレジットカード番号等）を所有するサイト経由から、又は店頭で決済の意思表示をすることにより、ＩＤリーダ１ａのリーダ番号を使って商品リストへアクセスして読み出し、決済処理をする。これにより、街角にある情報から刺激を受けて複数の商品を購入しようとした場合、ＩＤリーダ１ａを買い物かごに見立ててＩＤタグ情報を放り込むことによって、簡単に商品を購入できるとともに、決済処理時に初めてリーダ番号と決済用の個人情報を関連付けられるので、商品選択時の盗聴や改ざん、個人情報漏洩などセキュリティ上のリスクを低く抑えることができる。
【００８１】
また、商品選択行為により選択された商品は決済行為まで、決済行為の利用者と関連付けられていないので、ＩＤリーダ１ａを友人、親子等に引き渡して、商品リストを共有することができる。
【００８２】
＜３．利用例＞
最後に、本実施形態に係る商品売買システム１００の利用シーンについて具体的に説明する。
【００８３】
デパートの入り口で買い物かご（ＩＤリーダ１ａに相当する）を持ち、デパート内に入っている種々雑多なお店の商品を自由に選択し（ＩＤリーダ１ａでＩＤタグ５の情報を読み込むことに相当する）、最後にデパートを出るときに自分が買おうとしている商品群を確認（買い物かごＤＢ２１の内容を表示して確認する操作に相当する）した上で商品の支払い処理をする（買い物かごＤＢ２１、商品ＤＢ３１、更に決済情報との情報をやり取りすることで決済処理を行うことに相当する）ということが、インターネット上、実世界の店舗などを含む複数のショッピングサイトに対してできるようになる。
【００８４】
つまり、本発明では多数のサイトあるいは実店舗、ショッピングウインドウなどに分散している多数の店舗商品を、一つの買い物かごを持って回って購入することを簡単に実現することができる。
【００８５】
たとえば、旅行会社がツアー客に予めＩＤリーダ１ａ（買い物かご）を渡しておき、客が外国旅行先の行く先々（免税店など）で、商品ＩＤタグ５がつけられているとする。客は買いたい物の候補をＩＤリーダ１ａでＩＤタグ５を読み込むことにより指定し、帰国後あるいは帰りの飛行機の中で購入商品候補のリストをＩＤリーダ１ａ（買い物かご）を使って最終確認して決済し、その後自宅にあちこちから商品が送られてくるということもできる。その場合には、行きかえりの荷物が少なくて済むという利点がある。また荷物はアメリカならアメリカの空港に一旦配送してもらい、それらを取りまとめて日本に配送するというロジスティックを組み合わせても良い。
【００８６】
また、ホテル内でホテルの客に対して本発明に基づくサービスを提供することもできる。まず、顧客にはホテルへのチェックイン時に部屋のキーと買い物かごとなるＩＤリーダ１ａを渡す。また、プライスタグとなるＩＤタグ５は、ホテル内のロビーなどに置かれた商品やショーウインドウ内の商品に付けておく。また客室内の装飾品や家具などにもＩＤタグ５を付けておく。そして客がホテル内で過ごすなかで、ロビーや部屋で商品を目に留め、ほしいと思ったときにルームキーと一緒に携帯しているＩＤリーダ１ａでその商品のＩＤタグ５（プライスタグ）を読み込む。こうしてＩＤリーダ１ａ内あるいはＩＤリーダ１ａが接続される買い物かごＤＢ２１にはユーザが購入したい商品のリストが形成されていく。客が商品の購入決済をしたい場合にはホテルのロビーに行って、ＩＤリーダ１ａをホテル従業員に渡し、最終的な発注作業をしてもらうとともに、支払い処理をする。あるいは、客が自室のテレビとリモコンを使って決済処理をすることもできる。その場合、ユーザはＩＤリーダ１ａをキーとして買い物かごＤＢ２１の情報にアクセスし、ＴＶに表示する。そしてリモコンなどを使って、商品リストの空欄を埋めていく。（購入数、サイズなど）そして、購入意思表示を行う。すると購入金額はホテル宿泊代の請求書の加算されると行った感じである。
【００８７】
このように本発明では、ＩＤリーダ１ａを買い物かごとし、ＩＤタグ５を値札（プライスタグ）として、ＩＤリーダ１ａでＩＤタグ５を読み込む操作を、商品を買い物かごに放り込むという操作に対応させ、更に、買い物かごの中の商品を確認する手段と、買い物かごの中の商品の購入決済を実行する手段とを備えることにより、安全、簡便かつ便利に買い物をすることができるという利点がある。
【００８８】
安全とは、ＩＤリーダ１ａを落としたとしても、ＩＤリーダ１ａを使ってアクセスできるのは買い物かごＤＢ２１のＩＤリーダ１ａの番号に対応したメモリ領域に入っている商品リストのみであり、個人情報等とは切り離されていることを示す。簡便とは、買い物かごにいれるのは商品の情報だけなので、実世界の買い物かごのように商品がたくさん入った重いかごを持ち歩くといったことが不要になる。
【００８９】
また、便利とは、買い物かごに商品を入れるプロセスと商品を購入決済して購入するというプロセスを分けて考えることにより買い物のバリエーションが増えるという利点がある。たとえば、子供にＩＤリーダ１ａを渡して自由に買い物をさせ、その後のＩＤリーダ１ａを親が受け取って、買い物かごの中身を確認し、親が決済処理をするといったことが簡単にできるようになる。
【図面の簡単な説明】
【００９０】
【図１】本発明の実施の形態に係る商品売買システムの概略構成図である。
【図２】本発明の実施の形態に係る商品売買システムに用いられる買い物かごＤＢのデータ構成を説明する図である。
【図３】本発明の実施の形態に係る商品売買システムの動作（ＩＤタグ読み込みから商品リスト作成まで）を説明するシーケンス図である。
【図４】本発明の実施の形態に係る商品売買システムの動作（商品リスト表示から注文情報反映まで）を説明するシーケンス図である。
【図５】本発明の実施の形態に係る商品売買システムの動作（購入指示から決済終了まで）を説明するシーケンス図である。
【図６】本発明の実施の形態に係る商品売買システムの動作（商品情報の登録）を説明するシーケンス図である。
【符号の説明】
【００９１】
１ａ，１ｂ  ＩＤリーダ
２  買い物かご管理サーバ
３  商品管理サーバ
４  通信ネットワーク
５  ＩＤタグ
１１  タグ情報読取部
１２  記憶部
１３  通信制御部
１４  情報入力部
１５  情報表示部
１６  時計
１７  リーダ番号
１８  ＵＲＬ
１９  ＩＤタグ情報
２１  買い物かごＤＢ
２２，３２  制御部
１００  商品売買システム
ｆ２２１  商品リスト作成機能
ｆ２２２  商品リスト表示機能
ｆ２２３  注文情報入力機能
ｆ２２４  決済機能
ｆ３２１  商品登録機能
ｆ３２２  商品情報送信機能
ｆ３２３  仮発注機能
ｆ３２４  決済機能
【図１】
2006099484.tif 000003
【図２】
2006099484.tif 000004
【図３】
2006099484.tif 000005
【図４】
2006099484.tif 000006
【図５】
2006099484.tif 000007
【図６】
2006099484.tif 000008